(57)【要約】【課題】インピーダンスが低く安定した状態下での電圧降下や放射ノイズの発生の低減、及び導体に曲げ応力が作用することなく所望の形状に形成することができるハーネスを提供する。【解決手段】長尺平板状に形成されている第１導電体１４及び第２導電体１８、並びに絶縁体１８を有し、第１導電体１４及び第２導電体１６は、相互に所定距離離間して平行に配置されていると共に、第１導電体１４及び第２導電体１６には、相互の間隔、並びに、第１導電体１４及び第２導電体１６における長手方向の端面を除く周囲に絶縁体１８が設けられているハーネスであって、長手方向に対して所定距離に形成されているハーネスブロック１２から構成され、ハーネスブロック１２における長手方向の端面をハーネスブロック１２間で第１導電体１４及び第２導電体１６同士が電気的に導通するように接続することで所望の形状に形成されることを特徴とするハーネス１０。【選択図】図１
2007305379.tif 000002
【特許請求の範囲】
【請求項１】
長尺平板状に形成されている第１導電体及び第２導電体、並びに導体を電気的に絶縁するための絶縁体を有し、第１導電体及び第２導電体は、短手方向断面の長辺を含む平面が相互に所定距離離間して平行に配置されていると共に、第１導電体及び第２導電体には、相互の間隔、並びに、第１導電体及び第２導電体における長手方向の端面を除く周囲に絶縁体が設けられているハーネスであって、
長手方向に対して所定距離に形成されているハーネスブロックから構成され、ハーネスブロックにおける長手方向の端面をハーネスブロック間で第１導電体及び第２導電体同士が電気的に導通するように接続することで所望の形状に形成されることを特徴とするハーネス。
【請求項２】
ハーネスブロックは、直線状、所定方向に屈曲している屈曲状、所定数及び所定方向に分岐している分岐状、又はこれらの組み合わせ状に形成されている請求項１に記載のハーネス。
【請求項３】
ハーネスブロックにおける長手方向の端面を除く周囲に設けられている絶縁体は、第１導電体及び第２導電体を電気的に絶縁することができる磁性材である請求項１又は２に記載のハーネス。
【請求項４】
ハーネスブロックにおける長手方向の端面は、第１導電体と第２導電体との間隔の中央部から第１導電体及び第２導電体の板厚短手方向に向けて対照に斜めに形成されている請求項１〜３の何れか１項に記載のハーネス。
【請求項５】
ハーネスブロックにおける長手方向の端部には、ハーネスブロックにおける長手方向の端面がハーネスブロック間で圧接されるように係合部が形成されている請求項１〜４の何れか１項に記載のハーネス。
【請求項６】
ハーネスブロックの所定箇所には、ハーネスブロックを機器の所定箇所に係止する係止部が形成されている請求項１〜５の何れか１項に記載のハーネス。
【請求項７】
ハーネスブロックにおける第１導電体又は第２導電体は、長手方向に相互に平行であると共に相互に電気的に絶縁されて分割されている請求項１〜６の何れか１項に記載のハーネス。
【発明の詳細な説明】
【技術分野】
【０００１】
本発明は、複数の導体及び複数の導体を相互に電気的に絶縁している絶縁体を有するハーネスに関する。
【背景技術】
【０００２】
【特許文献１】特開平０７−１１４８２６号公報
【特許文献２】特表２００１−５０８５８５号公報
【特許文献３】特開平０５−００２９２８号公報
【特許文献４】特開平０８−２７３４４８号公報
【０００３】
一般に、複数の導体及び複数の導体を相互に電気的に絶縁している絶縁体を有するハーネスとしては、ワイヤーハーネスが知られている。
【０００４】
しかし、ワイヤーハーネスでは、電気的に対となる導線が一定の間隔で配線されることが難しく高インピーダンスであって、大電流や高周波若しくは急峻な変化電流を流す場合に、電圧降下や放射ノイズの発生等の問題を引き起こす可能性がある。
【０００５】
そこで、複数の導体及び複数の導体を相互に電気的に絶縁している絶縁体を有するハーネスであって、下記のような低インピーダンスのハーネスが提案されている。
【０００６】
第１に、負荷に電流を供給する導電路であって、上記負荷に供給する電流の往路となる往路導電板と、上記負荷に供給する電流の復路となる復路導電板と、上記往路導電板と上記復路導電板に挟まれた絶縁層を具えることを特徴とする導電路である（特許文献１参照）。
これによれば、高周波の大電流を負荷に供給することができる。また、高周波の電流によって発生するノイズが低減され、電磁干渉（ＥＭＩ）を低減することができる。
【０００７】
第２に、第１の実質的に平らな導体と、第２の実質的に平らな導体とからなり、上記２つの導体は実質的に平行に載置され、絶縁体によって離されており、少なくとも上記導体のうち１つは高い比透磁率を有する材料からなる要素と関連して設けられている高周波交流を分配する配電線である（特許文献２参照）。
これによれば、上記の配電線が、一方の導体に印可される電圧がアースを基準として、他方の導体に印可される電圧と等しくかつ反対極性になるように使用されれば、換言すれば、電圧が常に反対極性のＤＣ電圧か、または、アース電位に関して逆位相となる交流電圧であるならば、そのシステムが生じる電界は極めて小さいと考えられる。
【０００８】
しかし、上記のハーネスでは、導体が平板であるため堅く、所定形状に曲げることや切断する等の加工が極めて困難である。
【０００９】
そこで、上記の導体が平板であるハーネスにおける問題を解決するために、曲げやすい構造とした下記ハーネスが提案されている。
【００１０】
第１に、撚り線からなる導体の複数本を並列に配置し、それらの周りに架橋ポリエチレンによる絶縁層、ビニルシースを順次施した平形電力ケーブルであって、当該架橋ポリエチレンによる絶縁層を全周にわたり均一の厚みとし、隣接する撚り線導体の相互間で形成される谷状の部分で空隙または介在物を保有させたことを特徴とする低圧幹線用平形電力ケーブルである（特許文献３参照）。
これによれば、複数本にして並列配置した導体の周りに架橋ポリエチレンの絶縁層を全周にわたり均一な厚みにして施してあるので、その架橋ポリエチレンの層自身で部分的に肉厚が大きくなって曲げ剛性が大きくなるといった問題を解消でき、当該層自身を一定の厚みしたことと、隣接する導体の相互間で形成される谷状の部分で当該架橋ポリエチレンの絶縁層が離れて積極的な空隙が形成されるため、架橋ポリエチレンの層が導体に対する結合面積を少なくできることとが相俟って、平形面側からの曲げに対して抵抗力を小さく抑えることができる。
【００１１】
第２に、互いに平行かつ一列に配列され、互いに絶縁された複数の第１導電線を含み、両端部分で上記複数の第１導電線が電気的に接続された第１導電線路構体と、該第１導電線路構体の上記複数の第１導電線に夫々対応させて略平行に一列に配列され、互いに絶縁された複数の第２導電線を含み、両端部分で上記複数の第２導電線が電気的に接続された第２導電線路構体と、上記第１及び第２導電線路構体の間に設けられ、上記第１及び第２導電線の互いに夫々対応する導電線間の距離を略一定に維持する絶縁体とを具えることを特徴とする可撓性導電線路構体である（特許文献４参照）。
これによれば、２つの導電線路構体と絶縁体の三層構造で可撓性（フレキシブル）なので、容易に曲げることができるので、回路構成等の場合に極めて便利である。
【発明の開示】
【発明が解決しようとする課題】
【００１２】
しかしながら、上記従来技術では、複数の導線を並列に配置することで導体が平板であるのと同等の効果を得ることを図っているが、複数の導線を並列に配置した第１導線体と第２導線体とを並列方向に対して導線の線径方向の垂直方向に平行に配置した場合に、第１導線体及び第２導線体には並列方向に凹凸あるため第１導線体と第２導線体との離間している距離が一定でなくインピーダンスが安定しないという問題がある。また、複数の導線を並列に配置することで曲げやすい構造となるように図っているが、曲げ応力の大きさによっては断線する可能性がある。
【００１３】
そこで、本発明は、上記従来技術の問題点を解決するためになされたものであって、その目的とするところは、大電流や高周波若しくは急峻な変化電流を流すことの確保、インピーダンスが低く安定した状態下での電圧降下や放射ノイズの発生の低減、及び、導体に曲げ応力が作用することなく所望の形状に形成することができるハーネスを提供することを目的とする。
【課題を解決するための手段】
【００１４】
即ち、本発明は、長尺平板状に形成されている第１導電体及び第２導電体、並びに導体を電気的に絶縁するための絶縁体を有し、第１導電体及び第２導電体は、短手方向断面の長辺を含む平面が相互に所定距離離間して平行に配置されていると共に、第１導電体及び第２導電体には、相互の間隔、並びに、第１導電体及び第２導電体における長手方向の端面を除く周囲に絶縁体が設けられているハーネスであって、長手方向に対して所定距離に形成されているハーネスブロックから構成され、ハーネスブロックにおける長手方向の端面をハーネスブロック間で第１導電体及び第２導電体同士が電気的に導通するように接続することで所望の形状に形成されることを特徴とするハーネスである。
これによれば、大電流や高周波若しくは急峻な変化電流を流すことの確保、インピーダンスが低く安定した状態下での電圧降下や放射ノイズの発生の低減、及び、導体に曲げ応力が作用することなく所望の形状に形成することができるハーネスを提供することができる。
【００１５】
本発明において、ハーネスブロックは、直線状、所定方向に屈曲している屈曲状、所定数及び所定方向に分岐している分岐状、又はこれらの組み合わせ状に形成されている。
【００１６】
また、本発明において、ハーネスブロックにおける長手方向の端面を除く周囲に設けられている絶縁体は、第１導電体及び第２導電体を電気的に絶縁することができる磁性材であるのがよく、これによれば、更に、ハーネスから放射される放射ノイズの発生を低減することができる。
【００１７】
また、本発明において、ハーネスブロックにおける長手方向の端面は、第１導電体と第２導電体との間隔の中央部から第１導電体及び第２導電体の板厚短手方向に向けて対照に斜めに形成されているのがよく、これによれば、ハーネスブロック間における第１導電体及び第２導電体の接触面積を増加することができる。
【００１８】
また、本発明において、ハーネスブロックにおける長手方向の端部には、ハーネスブロックにおける長手方向の端面がハーネスブロック間で圧接されるように係合部が形成されているのがよく、これによれば、ハーネスブロック間における第１導電体及び第２導電体同士の接続を確実且つ容易にすることができる。
【００１９】
また、本発明において、ハーネスブロックの所定箇所には、ハーネスブロックを機器の所定箇所に係止する係止部が形成されている。
【００２０】
また、本発明において、ハーネスブロックにおける第１導電体又は第２導電体は、長手方向に相互に平行であると共に相互に電気的に絶縁されて分割されているのがよく、これによれば、機器の信号入出力用のハーネスを形成することができる。
【発明の効果】
【００２１】
本発明によれば、大電流や高周波若しくは急峻な変化電流を流すことの確保、インピーダンスが低く安定した状態下での電圧降下や放射ノイズの発生の低減、及び、導体に曲げ応力が作用することなく所望の形状に形成することができるハーネスを提供することができる。
【発明を実施するための最良の形態】
【００２２】
以下に、本発明の実施形態について図面を参照して説明する。
【００２３】
[第１実施形態]
図１及び図２は、本発明に係るハーネスの第１実施形態を示す図である。
【００２４】
図１は、本実施形態におけるハーネス１０を示す斜視図である。ハーネス１０は、複数のハーネスブロック１２から構成されている。ハーネスブロック１２は、第１導電体１４、第２導電体１６、及び絶縁体１８から構成されている。第１導電体１４及び第２導電体１６は、長尺平板状に形成されている。第１導電体１４及び第２導電体１６は、短手方向断面の長辺を含む平面が相互に所定距離離間して平行に配置されている。尚、第１導電体１４及び第２導電体１６の素材としては、導電性を有するものであればよく、例えば、銅が挙げられる。絶縁体１８は、第１導電体１４及び第２導電体１６の相互の間隔、並びに、第１導電体１４及び第２導電体１６における長手方向の端面を除く第１導電体１４及び第２導電体１６の周囲に設けられている。絶縁体１８の素材としては、第１導電体１４及び第２導電体１６を電気的に絶縁するものであればよく、例えば、硬質樹脂又は半硬質樹脂（セミリジット樹脂）が挙げられる。ハーネスブロック１２は、長手方向に対して所定距離に形成されている。ハーネス１０は、ハーネスブロック１２における長手方向の端面をハーネスブロック１２間で第１導電体１４及び第２導電体１６同士が電気的に導通するように接続することで所望の形状に形成される。
【００２５】
図２は、本実施形態におけるハーネスブロック１２の形状を示す斜視図である。ハーネスブロック１２は、直線状に形成される（図２（ａ）参照）。又は、ハーネスブロック１２は、所定方向（図中右方向）に屈曲している屈曲状に形成される（図２（ｂ）参照）。尚、図２（ｂ）のハーネスブロック１２において図中左方向に屈曲している屈曲状に形成することもできる。又は、ハーネスブロック１２は、所定方向（図中上方向）に屈曲している屈曲状に形成される（図２（ｃ）参照）。尚、図２（ｃ）のハーネスブロック１２において図中下方向に屈曲している屈曲状に形成することもできる。又は、ハーネスブロック１２は、所定数（図中「３」）及び所定方向（図中「Ｙ字状」）に分岐している分岐状に形成される（図２（ｄ）参照）。尚、図２（ｄ）ハーネスブロック１２において、所定数が「３」及び所定方向が「Ｔ字状」、又は所定数が「４」及び所定方向が「十字状」に分岐している分岐状に形成することもできる。更に、ハーネスブロック１２は、直線状、所定方向に屈曲している屈曲状、及び、所定数及び所定方向に分岐している分岐状を適宜組み合わせた組み合わせ状に形成することもできる。
【００２６】
以上、本実施形態によれば、大電流や高周波若しくは急峻な変化電流を流すことの確保、インピーダンスが低く安定した状態下での電圧降下や放射ノイズの発生の低減、及び、導体に曲げ応力が作用することなく所望の形状に形成することができるハーネスを提供することができる。
【００２７】
[第２実施形態]
次に、本発明に係るハーネスの第２実施形態について説明する。尚、本実施形態において、第１実施形態に示す構成と同一の構成については、同一符号を付すことでその説明を省略する。
【００２８】
図３は、本実施形態におけるハーネス２０を示す斜視図である。ハーネス２０は、複数のハーネスブロック２２から構成されている。ハーネスブロック２２は、第１導電体１４、第２導電体１６、絶縁体２４、及び絶縁体２６から構成されている。絶縁体２４は、第１導電体１４及び第２導電体１６の相互の間隔に設けられている。絶縁体１８の素材としては、第１導電体１４及び第２導電体１６を電気的に絶縁するものであればよく、例えば、硬質樹脂又は半硬質樹脂（セミリジット樹脂）が挙げられる。絶縁体２６は、第１導電体１４及び第２導電体１６における長手方向の端面を除く第１導電体１４及び第２導電体１６の周囲に設けられている。絶縁体１８の素材としては、第１導電体１４及び第２導電体１６を電気的に絶縁することができる磁性材であればよく、例えば、フェライトが挙げられる。ハーネスブロック２２は、長手方向に対して所定距離に形成されている。ハーネス２０は、ハーネスブロック２２における長手方向の端面をハーネスブロック２２間で第１導電体１４及び第２導電体１６同士が電気的に導通するように接続することで所望の形状に形成される。
【００２９】
以上、本実施形態によれば、更に、ハーネスから放射される放射ノイズの発生を低減することができる。
【００３０】
[第３実施形態]
次に、本発明に係るハーネスの第３実施形態について説明する。尚、本実施形態において、第１実施形態に示す構成と同一の構成については、同一符号を付すことでその説明を省略する。
【００３１】
図４は、本実施形態におけるハーネス３０を示す長手方向断面図である。ハーネス３０は、複数のハーネスブロック３２から構成されている。ハーネスブロック３２は、第１導電体１４、第２導電体１６、及び絶縁体１８から構成されている。ハーネスブロック３２における長手方向の端面は、第１導電体１４と第２導電体１６との間隔の中央部から第１導電体１４及び第２導電体１６の板厚短手方向に向けて対照に斜めに形成されている。ハーネスブロック３２は、長手方向に対して所定距離に形成されている。ハーネス３０は、ハーネスブロック３２における長手方向の端面をハーネスブロック３２間で第１導電体１４及び第２導電体１６同士が電気的に導通するように接続することで所望の形状に形成される。
【００３２】
以上、本実施形態によれば、ハーネスブロック間における第１導電体１４及び第２導電体１６の接触面積を増加することができる。
【００３３】
[第４実施形態]
次に、本発明に係るハーネスの第４実施形態について説明する。尚、本実施形態において、第１実施形態に示す構成と同一の構成については、同一符号を付すことでその説明を省略する。
【００３４】
図５は、本実施形態におけるハーネス４０を示す平面図である。ハーネス４０は、複数のハーネスブロック４２から構成されている。ハーネスブロック４２は、第１導電体１４、第２導電体１６、及び絶縁体１８を備えている。ハーネスブロック４２における長手方向の端部には、ハーネスブロック４２における長手方向の端面がハーネスブロック４２間で圧接されるように係合部４４が形成されている。ハーネスブロック４２の係合部４４は、ハーネスブロック４２における長手方向の一端に形成されている係合凹部４４ａ、及びハーネスブロック４２における長手方向の他端に形成されている係合凸部４４ｂから構成されている。ハーネスブロック４２は、長手方向に対して所定距離に形成されている。ハーネス３０は、ハーネスブロック４２における係合部４４の係合凹部４４ａと係合凸部４４ｂとが係合することで、ハーネスブロック４２における長手方向の端面がハーネスブロック４２間で第１導電体１４及び第２導電体１６同士が電気的に導通するように接続されて所望の形状に形成される。
【００３５】
以上、本実施形態によれば、ハーネスブロック間における第１導電体１４及び第２導電体１６同士の接続を確実且つ容易にすることができる。
【００３６】
[第５実施形態]
次に、本発明に係るハーネスの第５実施形態について説明する。尚、本実施形態において、第１実施形態に示す構成と同一の構成については、同一符号を付すことでその説明を省略する。
【００３７】
図６は、本実施形態におけるハーネスブロック５２を示す短手方向断面図である。ハーネスブロック５２は、第１導電体１４、第２導電体１６、及び絶縁体１８を備えている。ハーネスブロック５２の所定箇所には、ハーネスブロック５２を機器の所定箇所に係止する係止部５４が形成されている。ハーネスブロック５２の係止部５４は、例えば、図６（ａ）に示すようにハーネスブロック５２の一側面の短手方向中央部、又は図６（ｂ）に示すようにハーネスブロック５２の一側面の短手方向両端部に形成される。尚、機器の所定箇所には、ハーネスブロック５２の係止部５４が係止されるように係止孔が設けられている。
【００３８】
[第６実施形態]
次に、本発明に係るハーネスの第６実施形態について説明する。尚、本実施形態において、第１実施形態に示す構成と同一の構成については、同一符号を付すことでその説明を省略する。
【００３９】
図７は、本実施形態におけるハーネス６０を示す斜視図である。ハーネス６０は、複数のハーネスブロック６２から構成されている。ハーネスブロック６２は、第１導電体６４、第２導電体１６、及び絶縁体１８から構成されている。ハーネスブロック６２の第１導電体６４は、第１導電体１４が長手方向に相互に平行であると共に相互に電気的に絶縁されて分割されているものである。ハーネスブロック６２は、長手方向に対して所定距離に形成されている。ハーネス６０は、ハーネスブロック６２における長手方向の端面をハーネスブロック６２間で対応する第１導電体６４及び第２導電体１６同士が電気的に導通するように接続することで所望の形状に形成される。
【００４０】
以上、本実施形態によれば、機器の信号入出力用のハーネスを形成することができる。
【００４１】
尚、本発明は上記実施形態に限定されるものではなく、本発明の要旨の範囲内において種々の変形実施が可能である。
【図面の簡単な説明】
【００４２】
【図１】図１は、第１実施形態におけるハーネスを示す斜視図である。
【図２】図２は、第１実施形態におけるハーネスブロックの形状を示す斜視図である。
【図３】図３は、第２実施形態におけるハーネスを示す斜視図である。
【図４】図４は、第３実施形態におけるハーネスを示す長手方向断面図である。
【図５】図５は、第４実施形態におけるハーネスを示す平面図である。
【図６】図６は、第５実施形態におけるハーネスブロックを示す短手方向断面図である。
【図７】図７は、第６実施形態におけるハーネスを示す斜視図である。
【符号の説明】
【００４３】
１０、２０、３０、４０、６０：ハーネス、１２、２２、３２、４２、５２、６２：ハーネスブロック、１４、６４：第１導電体、１６：第２導電体、１８、２４、２６：絶縁体、４４：係合部、５４：係止部
【図１】
2007305379.tif 000003
【図２】
2007305379.tif 000004
【図３】
2007305379.tif 000005
【図４】
2007305379.tif 000006
【図５】
2007305379.tif 000007
【図６】
2007305379.tif 000008
【図７】
2007305379.tif 000009